(57)【要約】【課題】  腰壁パネルの上端部と笠木との間の通気路に吹き込んだ雨水が腰壁パネル内に形成された通気隙間に侵入するのを防止することができるバルコニー腰壁の笠木取付部の通気構造を提供する。【解決手段】  排湿用の通気隙間３を有するバルコニーの腰壁パネル１を形成し、腰壁パネル１の上端部に笠木２を被せて取付けて該腰壁パネル１の上端部と笠木２との間にバルコニーの内方及び外方の空間にそれぞれ連通し且つ前記通気隙間３に連通する通気路４を形成し、通気隙間３の通気路４への開口５３の上方を覆う覆い片を備えて内部に通気隙間３と通気路４とを連通する蛇行通路５０を有し且つ、該蛇行通路５０の通気路４への開口５３を覆い片よりもバルコニー内方側に形成した覆い部材５を設けた。【選択図】図１
2007138422.tif 000002
【特許請求の範囲】
【請求項１】
排湿用の通気隙間を有するバルコニーの腰壁パネルを形成し、腰壁パネルの上端部に笠木を被せて取付けて該腰壁パネルの上端部と笠木との間にバルコニーの内方及び外方の空間にそれぞれ連通し且つ前記通気隙間に連通する通気路を形成し、通気隙間の通気路への開口の上方を覆う覆い片を備えて内部に通気隙間と通気路とを連通する蛇行通路を有し且つ、該蛇行通路の通気路への開口を覆い片よりもバルコニー内方側に形成した覆い部材を設けて成ることを特徴とするバルコニー腰壁の笠木取付部の通気構造。
【発明の詳細な説明】
【技術分野】
【０００１】
本発明は、腰壁パネルの上端部に笠木を被せてなるバルコニー腰壁の笠木取付部の通気構造に関するものである。
【背景技術】
【０００２】
従来から、腰壁パネルの上端部に笠木を被せて構成したバルコニー腰壁に排湿用の通気隙間を形成したものが知られている。これは、図３、図４に示すように、バルコニーの腰壁パネル本体１１及び外装材１２からなり腰壁パネル本体１１、外装材１２間に排湿用の通気隙間３を形成した腰壁パネル１に、笠木２を前記腰壁パネル１の上端部との間に通気路４が形成されるように被せて取付けることで構成してある。排湿用の通気隙間３の下端部は建物の通気路Ｓと連通しており、建物からの湿気を含んだ空気を通気路Ｓ、通気隙間３を介してその上端部から排出するようにしてある。
【０００３】
この従来の腰壁パネルの笠木取付部の通気構造においては、通気路４を流れる空気によって通気隙間３内の湿気を含んだ空気を吸引して排出することができるものの、通気路４に雨水が吹き込んだ際に雨水が図４中矢印イに示すように通気隙間３内に侵入してしまうものであった。
【特許文献１】特開平１１−２７００８２号公報
【発明の開示】
【発明が解決しようとする課題】
【０００４】
本発明は上記の点に鑑みてなされたものであり、その目的とするところは、腰壁パネルの上端部と笠木との間の通気路に吹き込んだ雨水が腰壁パネル内に形成された通気隙間に侵入するのを防止することができるバルコニー腰壁の笠木取付部の通気構造を提供することを課題とするものである。
【課題を解決するための手段】
【０００５】
上記課題を解決するために請求項１に係る発明にあっては、排湿用の通気隙間３を有するバルコニーの腰壁パネル１を形成し、腰壁パネル１の上端部に笠木２を被せて取付けて該腰壁パネル１の上端部と笠木２との間にバルコニーの内方及び外方の空間にそれぞれ連通し且つ前記通気隙間３に連通する通気路４を形成し、通気隙間３の通気路４への開口５３の上方を覆う覆い片を備えて内部に通気隙間３と通気路４とを連通する蛇行通路５０を有し且つ、該蛇行通路５０の通気路４への開口５３を覆い片よりもバルコニー内方側に形成した覆い部材５を設けて成ることを特徴とするものである。
【０００６】
このような構成とすることで、腰壁パネル１の上端部と笠木２との間の通気路４に雨水が吹き込んだ場合でも腰壁パネル１内に形成された通気隙間３に雨水が侵入するのを防止することができる。
【発明の効果】
【０００７】
本発明にあっては、腰壁パネルの上端部と笠木との間の通気路に雨水が吹き込んだ場合でも腰壁パネル内に形成された通気隙間に雨水が侵入するのを防止することができる。
【発明を実施するための最良の形態】
【０００８】
以下、本発明の一実施形態について図１、図２に基づいて説明する。バルコニー腰壁は、腰壁パネル１と、この腰壁パネル１に取付けられる笠木２とで主体が構成される。
【０００９】
腰壁パネル１は、バルコニーの腰壁パネル本体１１とバルコニーの外装材１２とで主体が構成される。腰壁パネル本体１１は枠体１１ａに面板１１ｂを取着して構成してあり、この腰壁パネル本体１１の外面側に胴縁等のスペーサ材１３を固着すると共に、このスペーサ材１３の外面に外装材１２を固着して腰壁パネル１を形成してある。腰壁パネル１の腰壁パネル本体１１と外装材１２との間には、排湿用の通気隙間３が形成される。排湿用の通気隙間３の下端部は、建物の通気路（図３の符号Ｓ）と連通しており、建物からの湿気を含んだ空気を通気路、通気隙間３を介してその上端部から排出するようにしてある。
【００１０】
笠木２は、腰壁パネル１の上端部に隙間を介して覆い被せるように取付けるもので、腰壁パネル１の外側の側面（外装材１２のバルコニー外方側の側面）の外方側に位置する外縦片２１と、腰壁パネル１の内側の側面（腰壁パネル本体１１のバルコニー内方側の側面）の内方側に位置する内縦片２２と、外縦片２１と内縦片２２の上端部同士を連結する横片２３とからなる下方に開口する略コ字状に形成してある。この笠木２の腰壁パネル１への取付けは、腰壁パネル１の上端部の長手方向に部分的に笠木取付金具２５を固着具（図示せず）等によって固着し、この笠木取付金具２５のバルコニー外方側の上端部に設けた係止部２５ａに笠木２の横片２３の裏面に形成した被係止部２７を係止するとともに、笠木取付金具２５のバルコニー内方側の下端部に設けた固着具挿通孔と笠木２の内縦片２２に設けた固着具挿通孔とを連通させてこれに固着具２４を螺着して取付けている。そして、笠木取付金具２５によって笠木２を腰壁パネル１の上端部から浮かせた状態で配置することで、腰壁パネル１の上端部と笠木２との間に通気路４を形成している。
【００１１】
通気路４は、バルコニー外方側の端部４１とバルコニー内方側の端部４２においてそれぞれバルコニーの外方の空間と内方の空間とに連通するとともに、中間部において上記通気隙間３と連通している。通気路４の内側壁となる笠木２は外縦片２１と内縦片２２の下端部が腰壁パネル１の上端部よりも下方に位置しており、通気路４の両端部４１，４２は下方に開口する状態となっている。
【００１２】
そして本発明においては、腰壁パネル１の上端部に蛇行通路５０を有する覆い部材５を設けてある。覆い部材５は、腰壁パネル１の腰壁パネル本体１１と外装材１２の上端部とに亘る板状をした本体部５１と、本体部５１の中間部の通気隙間３に位置する部分に形成した蛇行通路５０を有する通路部５２とからなる。通路部５２は、本体部５１の通気隙間３のバルコニー外方側の端部（外装材１２のバルコニー内方側の端部）から上方の通気路４内に向けて突出する立上片５２ａと、立上片５２ａの上端部からバルコニー内方側に向けて連設されて通気隙間３の上方を覆う上横片５２ｂ及び傾斜片５２ｃからなる覆い片とで主体が構成され、その内部が蛇行した蛇行通路５０となっており、この蛇行通路５０を介して通気隙間３と通気路４とが連通される。蛇行通路５０の通気路４への出口となる開口５３は上記覆い片よりもバルコニー内方側に設けてあって、上下方向又は上下方向よりもバルコニーの内方側を向くように形成してあり、通気路４のバルコニー外方側の端部４１からバルコニー内方側の端部４２に向かって空気が流れる場合にその上流方向を向かないようにしてある。図１に示す例では、開口５３は覆い片（傾斜片５２ｃ）のバルコニー内方側の端部にバルコニー内方側を向くように形成してある。また図２に示す例では、通路部５２は、立上片５２ａ及び覆い片となる上横片５２ｂと、上横片５２ｂのバルコニー内方側の端部よりバルコニー内方側に開口５３となる隙間を介して配置される内縦片５２ｄとからなり、その内部が蛇行した蛇行通路５０となるもので、開口５３は前記のように覆い片（上横片５２ｂ）のバルコニー内方側の端部と内縦片５２ｄとの間に上方を向くように形成してある。なお、図中の符号６は防水シートを示す。
【００１３】
上記バルコニー腰壁の笠木取付部の通気構造の作用効果について説明する。腰壁パネル１と笠木２との間の通気路４に空気が流れると、通気路４を流れる空気は通気隙間３内の空気よりも低圧となるため通気隙間３内の空気が通気路４内へと吸引され、通気隙間３内の湿気を含んだ空気が排出されることとなる。通気路４を流れる空気は、通気路４のバルコニー外方側の端部４１から流入してバルコニー内方側の端部４２より流出する場合と、バルコニー内方側の端部４２から流入してバルコニー外方側の端部４１より流出する場合があるが、雨水が吹き込むような場合は通常は外方から吹き付ける風雨によって、バルコニー外方側の端部４１から通気路４内へと流入する。この時、従来のような通気構造にあっては通気路４内に吹き込んだ雨水が容易に通気隙間３内に侵入してしまうが、本発明にあっては上記のように開口５３の上方を覆う覆い片を備えて内部に通気隙間３と通気路４とを連通する蛇行通路５０を有し、該蛇行通路５０の通気路４への開口５３を覆い片よりもバルコニー内方側に形成した覆い部材５を設け、その蛇行通路５０の通気路４への開口５３を上下方向又は上下方向よりもバルコニーの内側を向くように形成してあることで、通気路４のバルコニー外方側の端部４１から吹き込んだ雨水が直接開口５３に侵入することがなく、もし仮に雨水が開口５３から蛇行通路５０内に侵入しても、雨水は途中に付着して蛇行通路５０を通り抜けることがないため、通気隙間３内に雨水が侵入するのを防止することができて、バルコニー腰壁の寿命を伸ばすことができる。
【図面の簡単な説明】
【００１４】
【図１】本発明の一実施形態の要部断面図である。
【図２】本発明の他の実施形態の要部断面図である。
【図３】建物のバルコニーを設けた部分の断面図である。
【図４】従来のバルコニー腰壁の笠木取付部の通気構造の要部断面図である。
【符号の説明】
【００１５】
１    腰壁パネル
１１  腰壁パネル本体
１２  外装材
２    笠木
３    通気隙間
４    通気路
５    覆い部材
５０  蛇行通路
５３  開口
【図１】
2007138422.tif 000003
【図２】
2007138422.tif 000004
【図３】
2007138422.tif 000005
【図４】
2007138422.tif 000006